(57)【特許請求の範囲】
【請求項１】
駐車券を挿入するための券挿入口と、  現金を投入するための現金投入口と、  交通機関用ＩＣカードに記録された所定のデータを読み出すＩＣカード通信手段と、  そのＩＣカード通信手段に前記交通機関用ＩＣカードをかざすことをリクエストする旨を出力するＩＣカードリクエスト手段と、  そのＩＣカード通信手段が読み出した入庫時刻データを用いて駐車料金を算出する算出手段と、をユーザ操作領域に備えた駐車料金精算機用の表示パネルであって、
その表示パネルは、駐車料金精算機におけるユーザ操作領域の周囲の上方および左右の三方を囲む枠状に形成され、
その枠内における上方部分は、左右で視覚識別可能に分け、左右いずれか一方に駐車場のみを利用した場合の精算手順を示す駐車精算手順表示部と、  他方に公共交通機関と駐車場とを併用した場合の精算手順を示す併用精算手順表示部と、しており、
前記枠内における左右部分には、駐車料金精算機における操作部位を示しつつ、操作手順およびその順番を表示する手順表示部を備え、
その手順表示部は、前記駐車精算手順表示部または前記併用精算手順表示部として前記の視覚識別を採用した駐車料金精算機用表示パネル。
【請求項２】
駐車券を挿入するための券挿入口と、  現金を投入するための現金投入口と、  交通機関用ＩＣカードに記録された所定のデータを読み出すＩＣカード通信手段と、  そのＩＣカード通信手段に前記交通機関用ＩＣカードをかざすことをリクエストする旨を出力するＩＣカードリクエスト手段と、  そのＩＣカード通信手段が読み出した入庫時刻データを用いて駐車料金を算出する算出手段と、をユーザ操作領域に備えた駐車料金精算機用の表示パネルであって、
その表示パネルは、駐車料金精算機におけるユーザ操作領域の周囲の下方および左右の三方を囲む枠状に形成され、
その枠内における下方部分は、左右で視覚識別可能に分け、左右いずれか一方に駐車場のみを利用した場合の精算手順を示す駐車精算手順表示部と、  他方に公共交通機関と駐車場とを併用した場合の精算手順を示す併用精算手順表示部と、しており、
前記枠内における左右部分には、駐車料金精算機における操作部位を示しつつ、操作手順およびその順番を表示する手順表示部を備え、
その手順表示部は、前記駐車精算手順表示部または前記併用精算手順表示部として前記の視覚識別を採用した駐車料金精算機用表示パネル。
【請求項３】
前記の表示パネルは、その表示面の裏面に、前記の駐車料金精算機に対して貼付するための貼付部を備えた請求項１または請求項２のいずれかに記載の駐車料金精算機用表示パネル。
【請求項４】
駐車券を挿入するための券挿入口と、  現金を投入するための現金投入口と、  交通機関用ＩＣカードに記録された所定のデータを読み出すＩＣカード通信手段と、  そのＩＣカード通信手段に前記交通機関用ＩＣカードをかざすことをリクエストする旨を出力するＩＣカードリクエスト手段と、  そのＩＣカード通信手段が読み出した入庫時刻データを用いて駐車料金を算出する算出手段と、をユーザ操作領域に備えるとともに、  ユーザの種類に応じた精算手順の表示パネルを備えた駐車料金精算機であって、
その表示パネルは、駐車料金精算機におけるユーザ操作領域の周囲の上方および左右の三方を囲む枠状に形成され、
その枠内における上方部分は、左右で視覚識別可能に分け、左右いずれか一方に駐車場のみを利用した場合の精算手順を示す駐車精算手順表示部と、  他方に公共交通機関と駐車場とを併用した場合の精算手順を示す併用精算手順表示部と、しており、
前記枠内における左右部分には、駐車料金精算機における操作部位を示しつつ、操作手順およびその順番を表示する手順表示部を備え、
その手順表示部は、前記駐車精算手順表示部または前記併用精算手順表示部として前記の視覚識別を採用した駐車料金精算機。
【請求項５】
駐車券を挿入するための券挿入口と、  現金を投入するための現金投入口と、  交通機関用ＩＣカードに記録された所定のデータを読み出すＩＣカード通信手段と、  そのＩＣカード通信手段に前記交通機関用ＩＣカードをかざすことをリクエストする旨を出力するＩＣカードリクエスト手段と、  そのＩＣカード通信手段が読み出した入庫時刻データを用いて駐車料金を算出する算出手段と、をユーザ操作領域に備えるとともに、  ユーザの種類に応じた精算手順の表示パネルを備えた駐車料金精算機であって、
その表示パネルは、駐車料金精算機におけるユーザ操作領域の周囲の下方および左右の三方を囲む枠状に形成され、
その枠内における下方部分は、左右で視覚識別可能に分け、左右いずれか一方に駐車場のみを利用した場合の精算手順を示す駐車精算手順表示部と、  他方に公共交通機関と駐車場とを併用した場合の精算手順を示す併用精算手順表示部と、しており、
前記枠内における左右部分には、駐車料金精算機における操作部位を示しつつ、操作手順およびその順番を表示する手順表示部を備え、
その手順表示部は、前記駐車精算手順表示部または前記併用精算手順表示部として前記の視覚識別を採用した駐車料金精算機。
【請求項６】
前記の表示パネルは、その表示面の裏面に、前記の駐車料金精算機に対して貼付するための貼付部を備えた請求項４または請求項５のいずれかに記載の駐車料金精算機。
【発明の詳細な説明】
【技術分野】
【０００１】
本発明は、鉄道などの公共交通機関の乗降に利用するＩＣカードを、駐車場の出入りにおいても利用できるようにする駐車料金精算機用の表示パネル、およびその表示パネルを備えた駐車料金精算機に関する。
【背景技術】
【０００２】
駐車場の料金精算に関しては、さまざまな料金精算のシステムが存在する。電子化が進んでいる。近年では、非接触にて時刻等の情報をリード・ライトできるＩＣタグ製の駐車チップを使用可能な駐車料金の精算機も提供されている。たとえば、特許文献１に記載されている技術である。
【０００３】
一方、大都市圏の公共交通機関では、鉄道やバスなどの交通機関の乗降料金を精算できるＩＣカードまたはＩＣチップ搭載の携帯電話などの情報端末（以下、「交通機関用ＩＣカード」と略記する）が普及し、鉄道各社やバスなどにおいて共通に使えるようになってきた。ＩＣカードとは、ＩＣチップを内蔵し、そのＩＣチップに予め記憶されたデータや新たに記録されるデータなどを、非接触通信などを介して実行する技術であり、自動改札の仕組みとして普及している。
この交通機関用ＩＣカードに記憶されたデータの活用方法については、たとえば特許文献２に記載された技術がある。
【０００４】
特許文献２に記載された技術は、ＩＣカードの記憶領域をプライベート領域とパブリック領域に分けることを基礎としている。すなわち、交通機関の乗車料金バリューをプライベート領域に記録し、各商店の発行するサービスポイントをパブリック領域に記録する。商店の発行するサービスポイントは乗車料金バリューに変換して使用することができる。
【０００５】
前述した交通機関用ＩＣカードが発達する一方、僅かな情報を磁気テープに記録した使い捨てのチケット（以下、「磁気券」と略記する）は、全くなくなることは想定しにくい。旅行や出張などでその土地を訪れた一回限りの利用者は、磁気券でなければ使いにくいからである。交通機関用ＩＣカードが高機能を備えているために、使い捨て版ではコスト高となってしまうからでもある。
【０００６】
さて、交通機関用ＩＣカードが普及したことで、他のサービス業者との提携が始まっている。
たとえば、家電量販店における購入価格に応じたポイント還元を、交通機関の乗降にも使えるようにするサービスが代表的である。
【先行技術文献】
【特許文献】
【０００７】
【特許文献１】特開２００２−２１６１８０号公報
【特許文献２】特開２００３−１８８９８号公報
【発明の概要】
【発明が解決しようとする課題】
【０００８】
さて最近、大都市の中心部では交通渋滞が激しさを増している。駐車スペースを潤沢に確保できないため、限られた駐車スペースが混雑することも、渋滞に拍車を掛けている。そこで、公共交通機関の利用が叫ばれている。
公共交通機関と乗用車とは、移動手段ということでは共通点があり、前述した交通機関用ＩＣカードによる駐車料金の精算なども理論的には可能であり、一部では既にサービスが開始されている。
最寄り駅の近辺に位置する駐車場に駐車し、大都市の中心部には電車などの公共交通機関を利用した場合には駐車料金を割り引く、というサービス（以下「パーク＆ライド」と略記する）が試験的に開始された。
【０００９】
パーク＆ライドを人間の介在なしに実現するには、公共交通機関を利用した、という事実を確認する必要があるため、それが可能な駐車料金の精算機が必要となる。しかし、そのような専用の精算機を、従来の精算機（駐車料金のみを精算する精算機）と併存させるのは、駐車場管理者にも、駐車場利用者にも不便である。
【００１０】
パーク＆ライドでも一般の駐車場利用でも精算が可能な、ハイブリッド精算機が必要となる。そのハイブリッド精算機は、現金やクレジットカードによる精算が可能なほか、交通機関用ＩＣカードが取り扱える必要がある。交通機関用ＩＣカードに記録された乗降データを読み取ることより、駐車場を利用した同日に公共交通機関を利用している場合には、駐車料金を所定の割引サービスを適用して精算することができる。
【００１１】
ところがハイブリッド精算機は、新たに誕生したパーク＆ライドに適応できるものの、駐車場の利用者にとっては、パーク＆ライドでも一般の駐車場利用でも、分かりにくい可能性がある。精算機が処理できるパターンが増えたのであるが、精算をしてくれる駐車場の利用者が混乱してしまっては、提供するサービスとして不完全なものとなってしまう。
【００１２】
本願発明が解決しようとする課題は、パーク＆ライドでも一般の駐車場利用でも精算が可能なハイブリッド精算機が、利用者に対してわかりやすくする精算手続きができるようにすることにある。
請求項１から請求項３に記載の発明の目的は、パーク＆ライドでも一般の駐車場利用でも精算が可能なハイブリッド精算機が、利用者に対してわかりやすくする精算手続きができるように駐車料金精算機用の表示パネルを提供することである。
また、請求項４から請求項６に記載の発明の目的は、パーク＆ライドでも一般の駐車場利用でも精算が可能なハイブリッド精算機が、利用者に対してわかりやすくする精算手続きができるようにした駐車料金精算機を提供することである。
【課題を解決するための手段】
【００１３】
（請求項１）
請求項１に記載の発明は、  駐車券を挿入するための券挿入口(11)と、  現金を投入するための現金投入口(12)と、  交通機関用ＩＣカードに記録された所定のデータを読み出すＩＣカード通信手段(33)と、  そのＩＣカード通信手段(33)が読み出した入庫時刻データを用いて駐車料金を算出する算出手段と、をユーザ操作領域に備えた駐車料金精算機(10)に用いる表示パネル(20)に係る。
その表示パネル(20)は、駐車料金精算機におけるユーザ操作領域の周囲の上方および左右の三方を囲む枠状に形成され、  その枠内における上方部分は、左右で視覚識別可能に分け、左右いずれか一方に駐車場のみを利用した場合の精算手順を示す駐車精算手順表示部(21)と、  他方に公共交通機関と駐車場とを併用した場合の精算手順を示す併用精算手順表示部(25)と、している。
前記枠内における左右部分には、駐車料金精算機(10)における操作部位を示しつつ、操作手順およびその順番を表示する手順表示部(22,23,24,26,27,28,29,30)を備え、  その手順表示部(22,23,24,26,27,28,29,30)は、前記駐車精算手順表示部(21)または前記併用精算手順表示部(25)として前記の視覚識別を採用した。
【００１４】
（用語説明）
「交通機関」とは、鉄道、バス、地下鉄などの公共交通機関である。
「交通機関用ＩＣカード」とは、非接触の短距離通信が可能であり、且つ電源が不要なＩＣを内蔵したカード、またはＩＣチップ搭載の携帯端末などの情報端末である。
割引料金を適用するか否かの「所定条件」は、請求項に定められたものの他、さまざまな条件を追加することも可能であるし、変更することも可能である。また、そうした条件変更は、遠隔操作が可能であるように、遠隔操作を実行するサーバとの通信手段を備えていてもよい。
前記ＩＣカード通信手段には、前記交通機関用ＩＣカードをかざすことをリクエストする旨を出力するＩＣカードリクエスト手段を備えても良い。ここで「リクエストする出力」とは、たとえば音声ガイダンス、ディスプレイ表示、あるいはそれらの組み合わせなどである。
【００１５】
（作用）
本願請求項に係る駐車料金精算機が設置された駐車場を利用しようとする者（以下、単に「ユーザ」と記す）は、入庫時に駐車券を受け取る。
駐車を済ませたユーザは、当該駐車場の最寄り駅から交通機関を利用して移動するユーザ（以下、駐車場と交通機関とを併用したユーザ、単に「併用ユーザ」と記す）と、駐車場の最寄り駅から交通機関を利用しないユーザ（以下、駐車場のみを利用したユーザ、単に「一般ユーザ」と記す）とに分かれる。
【００１６】
交通機関用ＩＣカードを所持している併用ユーザであれば、交通機関への乗車は、交通機関用ＩＣカードを用いる。したがって、併用ユーザの交通機関用ＩＣカードには、乗車駅や改札通過時刻などの情報が記録される。
併用ユーザが前記の駐車場がある駅に戻ってきて改札を出ると、降車駅と改札通過時刻が交通機関用ＩＣカードに記録される。
用事を済ませた併用ユーザが駐車場に出向き、駐車料金精算機(10)に対して出庫の手続きを開始する。併用ユーザはまず、自分が一般ユーザなのか、併用ユーザなのかを認識する。そして、併用ユーザである旨を認識したら、併用精算手順表示部(25)を見る。併用精算手順表示部(25)は駐車料金精算機(10)における操作部位を示しつつ、操作手順およびその順番を表示しており、しかも駐車精算手順表示部(21)とは視覚識別がなされているので、精算手順を間違えずに認識しやすい。
【００１７】
具体的な精算の順番は、まず入庫時に受け取った駐車券を駐車料金精算機(10)に対して投入する。すると、駐車料金精算機(10)における駐車券読み取り手段が入庫時刻データを読み取る。併用ユーザが交通機関用ＩＣカードを所定箇所にかざすと、ＩＣカード通信手段が交通機関用ＩＣカードに記録された乗降データを読み出す。
駐車料金精算機(10)における算出手段は、駐車券から読み出した入庫時刻データ、現在時刻などから割り出す出庫時刻から標準駐車料金を算出する。また、ＩＣカード通信手段から読み出された乗降データが、割引料金を適用できるか否かを判断し、割引料金が適用される場合には、その精算料金を算出する。この場合の駐車料金の精算は、現金、クレジットカードのほか、一般ユーザであっても交通機関用ＩＣカードを用いても行えるようにしていても良い。
なお、併用ユーザが交通機関用ＩＣカードを持たない場合や、ＩＣカードリクエスト手段が交通機関用ＩＣカードをＩＣカード通信手段にかざすことをリクエストしてから所定の時間が経過した場合などにおいては、駐車場と交通機関とを併用することによる割引料金の適用はない。
【００１８】
一方、一般ユーザは、駐車場に戻ってきた場合、まず、自分が一般ユーザなのか、併用ユーザなのかを認識する。そして、一般ユーザである旨を認識したら、駐車精算手順表示部(21)を見る。駐車精算手順表示部(21)は駐車料金精算機(10)における操作部位を示しつつ、操作手順およびその順番を表示しており、しかも併用精算手順表示部(25)とは視覚識別がなされているので、精算手順を間違えずに認識しやすい。
具体的には、入庫時に受け取った駐車券を駐車料金精算機に対して投入する。すると、駐車券読み取り手段が入庫時刻データを読み取り、算出手段が駐車券から読み出した入庫時刻データ、現在時刻などから割り出す出庫時刻から標準駐車料金を算出する。一般ユーザは、算出された標準駐車料金を現金などで精算する。
なお、この場合の駐車料金の精算もまた、現金、クレジットカードのほか、一般ユーザであっても交通機関用ＩＣカードを用いても行えるようにしていても良い。
【００１９】
（請求項２）
請求項２に記載の発明は、請求項１記載の表示パネルとやや異なり、駐車料金精算機におけるユーザ操作領域の周囲の下方および左右の三方を囲む枠状に形成した表示パネルである。
その枠内における下方部分は、左右で視覚識別可能に分け、左右いずれか一方に駐車場のみを利用した場合の精算手順を示す駐車精算手順表示部と、  他方に公共交通機関と駐車場とを併用した場合の精算手順を示す併用精算手順表示部と、している。
【００２０】
（請求項３）
請求項３に記載の発明は、請求項１または請求項２に記載の駐車料金精算機の表示パネルを限定したものである。
すなわち、前記の表示パネル(20)は、その表示面の裏面に、前記の駐車料金精算機(10)に対して貼付するための貼付部を備える。
「貼付部」は、たとえば両面テープにて形成されている。一度貼り付けたら簡単には剥がせない固着力を備えていることが、いたずら防止などのために望ましい。
一方、剥がせないわけではないので、表示パネル(20)のデザイン等の改良、変更などにおいて、駐車料金精算機とは独立して改良、変更の作業を行うことができる。
【００２１】
（請求項４）
請求項４記載の発明は、請求項１に記載の表示パネルを備えた駐車料金精算機に係る。
【００２２】
（請求項５）
請求項５記載の発明は、請求項２に記載の表示パネルを備えた駐車料金精算機に係る。
【００２３】
（請求項６）
請求項６記載の発明は、請求項３に記載の表示パネルを備えた駐車料金精算機に係る
【発明の効果】
【００２４】
請求項１から請求項３に記載の発明の目的は、パーク＆ライドでも一般の駐車場利用でも精算が可能なハイブリッド精算機が、利用者に対してわかりやすくする精算手続きができるように駐車料金精算機用の表示パネルを提供することができた。
また、請求項４から請求項６に記載の発明の目的は、パーク＆ライドでも一般の駐車場利用でも精算が可能なハイブリッド精算機が、利用者に対してわかりやすくする精算手続きができるようにした駐車料金精算機を提供することができた。
【図面の簡単な説明】
【００２５】
【図１】本発明の第一の実施形態を示す正面図である。
【図２】本発明の第一の実施形態を示す組立斜視図である。
【図３】本発明の第二の実施形態を示す正面図である。
【図４】本発明の第三の実施形態を示す正面図である。
【図５】本発明の第四の実施形態を示す正面図である。
【図６】図５における部分拡大図である。
【発明を実施するための形態】
【００２６】
（全体の説明）
以下、本発明を実施の形態及び図面に基づいて、更に詳しく説明する。ここで使用する図面は、図１から図６である。
本実施形態に係る駐車料金精算機１０は、ある公共交通機関（Ｘ鉄道とする）の駅近傍に設けられた駐車場に設置されている。その公共交通機関の駅（Ａ駅とする）は、交通機関用ＩＣカードにて利用料金の精算が可能となっている。
【００２７】
駐車を済ませたユーザは、当該駐車場の最寄り駅から交通機関を利用して移動するユーザ（以下、駐車場と交通機関とを併用したユーザ、単に「併用ユーザ」と記す）と、駐車場の最寄り駅から交通機関を利用しないユーザ（以下、駐車場のみを利用したユーザ、単に「一般ユーザ」と記す）とに分かれる。併用ユーザに対しては、一定の割引制度が導入されている。
以下、まずは併用ユーザについて、交通機関用ＩＣカードを利用した場合について説明する。
【００２８】
まず、本実施形態に係る駐車料金精算機１０を利用する併用ユーザは、まず、駐車場に入庫し、その入庫時に駐車券を受け取る。駐車を完了したら徒歩でＡ駅に移動し、交通機関用ＩＣカードにてＡ駅の改札を通過する。
この併用ユーザは交通機関用ＩＣカードを所持しており、交通機関への乗車は、交通機関用ＩＣカードを用いる。したがって、この併用ユーザの交通機関用ＩＣカードには、乗車駅や改札通過時刻などの情報が記録されている。
併用ユーザがその後、Ｘ鉄道のＢ駅にて降りて用事を済ませ、再びＢ駅から乗車し、前記の駐車場があるＡ駅に戻ってきて改札を出ると、降車駅と改札通過時刻が交通機関用ＩＣカードに記録される。
【００２９】
併用ユーザが駐車場に着いたら、本実施形態に係る駐車料金精算機１０にて精算を済ませることとなる。  図１に基づいて、このユーザによる精算手続きを説明する。
この併用ユーザはまず、自分が一般ユーザなのか、併用ユーザなのかを認識する。そして、併用ユーザである旨を認識したら、併用精算手順表示部２５を見る。併用精算手順表示部２５は駐車料金精算機１０における操作部位を示しつつ、操作手順（割引手順）およびその順番を番号にて表示しており、しかも一般ユーザが利用する駐車精算手順表示部２１とは視覚識別がなされているので、精算手順を間違えずに認識しやすい。
ここで、「視覚識別」とは、図中では斜めのハッチングとドット表示との区別としているが、通常は色を分ける。色覚健常者ではなくても容易に区別認識可能な二色が採用される。
【００３０】
続いて、入庫の際に受け取った駐車券を駐車料金精算機１０の駐車券挿入口２６に対して投入する。すると、駐車料金精算機１０における駐車券読み取り手段が入庫時刻データを読み取る。
次に、開始ボタン指示表示部２７が矢印形状にて指示する開始ボタン３１を、併用ユーザが押す。すると、ＩＣカードタッチ指示表示部２８が点滅し、併用ユーザに係る交通機関用ＩＣカードをかざすように促す。なお、自分が併用ユーザではなく一般ユーザである、と認識違いなどがあった場合には、中止ボタン３２を押す。
【００３１】
ＩＣカードタッチ指示表示部２８の指示に従って併用ユーザが交通機関用ＩＣカードをＩＣカードタッチ部３３にかざすと、ＩＣカードタッチ部３３が交通機関用ＩＣカードに記録された乗降データを読み出す。
駐車料金精算機１０における算出手段は、駐車券から読み出した入庫時刻データ、現在時刻などから割り出す出庫時刻から標準駐車料金を算出する。また、ＩＣカードタッチ部３３から読み出された乗降データが、割引料金を適用できるか否かを判断し、割引料金が適用される場合には、その精算料金を算出する。算出された料金は、精算指示表示部３０にデジタル表示される。
【００３２】
併用ユーザは、精算指示表示部３０にデジタル表示された金額を、現金投入口１２および紙幣投入口１４から投入し、精算を終える。  この場合の駐車料金の精算は、現金、クレジットカードのほか、先ほど使用した交通機関用ＩＣカードを用いても行えるようにしていても良い。
前記の併用ユーザが駐車券にて駐車料金精算機にて駐車料金を精算しようとしたのは、２０時だったとする。駐車時間は１３時間であり、利用料金が８００円だったとする。しかし、Ｘ鉄道の乗降データからＸ鉄道を利用したことが判明すれば、２００円の割引となり、６００円を精算すればよい。
【００３３】
なお、他の割引サービスとの併用が可能な場合、そのような割引サービス券を持っているユーザに対して、当該サービス券を挿入するように、サービス券挿入指示表示部２９が指示している。他の割引サービスとは、たとえば、会員制を導入した会員証明カードであり、繰り返し使用するための記録媒体内蔵カードである。その場で駐車料金を割り引く場合の他、精算金額などに応じたポイント算出し、そのポイント数を当該会員証明カードに記録する。
【００３４】
併用ユーザが交通機関用ＩＣカードを持たない場合や、ＩＣカードリクエスト手段が交通機関用ＩＣカードをＩＣカード通信手段にかざすことをリクエストしてから所定の時間が経過した場合などにおいては、駐車場と交通機関とを併用することによる割引料金の適用はない。
（もしも、ユーザがその日に交通機関用ＩＣカードを利用していなかったとすれば、その表示された駐車料金を精算することとなる。また、終電時間を考慮して日またがり時間は午前２時のように変更できるものとする。）
【００３５】
次に、一般ユーザの場合について説明する。
一般ユーザは、駐車場に戻ってきた場合、まず、自分が一般ユーザなのか、併用ユーザなのかを認識する。そして、一般ユーザである旨を認識したら、駐車精算手順表示部２１を見る。駐車精算手順表示部２１は駐車料金精算機１０における操作部位を示しつつ、操作手順（精算手順）およびその順番を番号にて表示しており、しかも併用精算手順表示部２５とは視覚識別がなされているので、精算手順を間違えずに認識しやすい。
【００３６】
更に具体的に説明する。一般ユーザは、入庫時に受け取った駐車券を駐車料金精算機１０における券挿入口１１に対して投入する。次に、サービス券挿入指示表示部２３が指示している。他の割引サービスとは、たとえば、前述したような会員制を導入した会員証明カードである。
なお、自分が併用ユーザではなく一般ユーザである、と認識違いなどがあった場合には、中止ボタン３２を押す。
【００３７】
駐車券読み取り手段が入庫時刻データを読み取り、算出手段が駐車券から読み出した入庫時刻データ、現在時刻などから割り出す出庫時刻から標準駐車料金を算出する。算出された料金は、精算指示表示部３０にデジタル表示される。
一般ユーザは、精算指示表示部３０にデジタル表示された金額を、現金投入口１２および紙幣投入口１４から投入し、精算を終える。  この場合の駐車料金の精算は、現金、クレジットカードのほか、一般ユーザであっても交通機関用ＩＣカードを用いても行えるようにしていても良い。
【００３８】
（図２）
図２に示すように、本実施形態の駐車料金精算機１０と、それに用いる表示パネル２０とは別体に形成している。  そして、表示パネル２０は、その表示面の裏面に、前記の駐車料金精算機１０に対して貼付するための貼付部を備えている。
このように形成しているため、仕様変更、デザイン変更などに応じて表示パネル２０のみを交換することができる。
【００３９】
（図３）
図３に示すのは、図１に示した表示パネル２０のバリエーションを示すものである。
すなわち、駐車精算手順表示部２１と併用精算手順表示部２５とを、左右入れ替えたものである。他の箇所には違いがないため、図１と同じ番号を図３に付すことによってその説明を省略する。
【００４０】
（図４）
図４に示すのもまた、図１に示した表示パネル２０のバリエーションを示すものである。
すなわち、図１では駐車精算手順表示部２１および併用精算手順表示部２５を、駐車場精算機１０における上部に位置させていたが、図４に示す表示パネル２０では、駐車場精算機１０における下部に位置させている。他の箇所には違いがないため、図１と同じ番号を図４に付すことによってその説明を省略する。
【００４１】
（図５および図６）
図５は、駐車場精算機１０における主要部を拡大したものである。
なお、図１から図４では図示を省略したが、ＩＣカードタッチ部１３の上方には、割引適用を受ける際の精算手順に関する詳細な説明を図示しつつ説明している詳細説明部４０を備えている。
この詳細説明部４０を拡大したのが、図６である。
【００４２】
（乗車駅による割引）
割引料金の適用については、別途定めることができる。たとえば、以下のようなパターンである。
Ｘ鉄道のＢ駅にて相互乗り換えができるＹ鉄道があったとする。そして、Ｙ鉄道のＣ駅の近傍に存在する競技場で大きなイベントがあったとする。そして、その競技場近辺には十分な駐車スペースが存在せず、当該イベントの主催者は自家用車でのイベント参加の自粛を呼びかけているとする。
【００４３】
そこで、Ｘ鉄道およびＹ鉄道におけるＣ駅以外の駐車場において、Ｘ鉄道やＹ鉄道を利用してＣ駅に着いたユーザには、駐車料金の割引サービスを実行する。具体的には、Ｘ鉄道およびＹ鉄道におけるＣ駅以外の駅に隣接された駐車場の駐車場精算機に対して、当該イベントが開催される日にＣ駅からの乗車記録があった場合に割引料金を適用するという決定事項を記憶させるのである。各駐車場精算機は、通信回線によってサーバと接続されており、前記の決定事項を通信回線によって読み込むことができる
【００４４】
（利用制限）
乗降データを読み出した交通機関用ＩＣカードの識別データを読み取り時刻データと紐づけて記憶する識別データ記憶手段を備える。
また、前記ＩＣカード通信手段が読み取った交通機関用ＩＣカードの識別データと前記識別データ記憶手段に記憶された識別データおよび読み取り時刻とに基づいて割引料金の適用の適否を判断する識別データ判断手段を備え、  その識別データ判断手段が割引料金の適用ができないと判断した場合には、前記算出手段は、標準駐車料金を算出することとする。
【００４５】
以上により、以下のような作用および効果をなす。
識別データ判断手段は、前記ＩＣカード通信手段によって読み取られた交通機関用ＩＣカードの識別データが前記識別データ記憶手段に記憶された識別データおよび読み取り時刻に基づいて割引料金の適用の適否を判断する。割引料金の適用ができないと判断した場合には、前記算出手段は、標準駐車料金を算出する。
たとえば、割引料金を適用できるのを、一枚あたりの交通機関用ＩＣカードについては一日一回まで、といった制限を設けることができる。
【００４６】
前記ＩＣカード通信手段は、交通機関用ＩＣカードに記憶された他のサービスによる他割引データを読み出し、  前記算出手段は、前記他割引データをも用いて精算料金として算出することとしてもよい。
商品の購入や有償サービスを受けたような場合において、駐車料金の割引特典を付与される場合がある。その割引特典の情報を交通機関用ＩＣカードに書き込んだ場合、その割引特典の情報（他割引データ）をＩＣカード通信手段が読み出し、精算料金に反映させることができる。
【００４７】
（逆サヤ防止）
原則として、１０００円以上の駐車料金に対して、所定の乗車記録を交通機関用ＩＣカードから読み出せた場合には２００円を割り引くとしていたとする。  その場合、９００円の駐車料金では割引額を１００円とする。
また、原則として、３時間以上の駐車ユーザに対して、所定の乗車記録を交通機関用ＩＣカードから読み出せた場合には２００円を割り引くとしていたとする。３時間に達しない駐車ユーザには、割引を適用しない。あるいは３時間に達する直前に逆サヤが出る場合には、逆サヤが出ないような調整を行う。
【００４８】
（最大料金に到達した場合の割引）
１日駐車などによって最大料金に達した場合に割り引くサービス、たとえば最大料金が１０００円で、所定の乗車記録を交通機関用ＩＣカードから読み出せた場合には２００円を割り引く。この場合、最大料金に達する直前の９００円であれば、１００円の割引とする。
一方、２日間にわたって駐車をした場合には、２０００円に達するが、その場合には２００円の割引を二度適用し、４００円を割り引くこととする。
【００４９】
（平日割引）
通勤に自家用車を使用する者に対して、鉄道の利用を促す場合、平日の駐車および鉄道の併用をした場合にのみ駐車料金の割引サービスを適用する、といった設定も可能である。すなわち、休日には交通機関用ＩＣカードの乗降データでは割引を適用しないようにするのである。
【００５０】
（割引サービスの併用）
所定のショッピングなどによって駐車料金の割引が受けられ、その割引のためのデータが交通機関用ＩＣカードに対して記録されている場合、駐車料金精算機がその割引のためのデータを乗車記録とともに読み出し、併用割引を適用できるようにしてもよい。
たとえば、乗車記録によって２００円の割引、買い物による割引が４００円となっている場合、標準駐車料金が１０００円であっても、６００円の割引をしての精算となり、ユーザは４００円の駐車料金を支払えばよい。
【００５１】
以上のような実施形態に係る駐車料金精算機が駅近傍の駐車場に設置され、その駅での乗降データによる割引料金の設定があるならば、その駐車場および鉄道の利用率の上昇、自家用車による通勤の減少、商用車による大都市圏への流入減少、大都市圏の渋滞緩和、などに寄与することが期待される。
【００５２】
前述の実施形態においては、鉄道の駅の近傍に位置する駐車場に設置された駐車料金精算機として説明してきた。しかし、本願発明の実施範囲は、鉄道の駅に限られない。たとえば、バスターミナルの近傍の駐車場、フェリーターミナルの近傍の駐車場など、公共交通機関の乗降ポイントにおける近傍の駐車場であれば、活用が可能である。
【００５３】
上記の実施形態では、交通機関として鉄道を例として説明したが、バスや地下鉄などの公共交通機関であれば、活用するようにすることが可能である。
なお、「最寄り駅」はひとつとは限らず、複数の場合や、最寄り駅が複数の鉄道会社の結節点である場合もある。
【産業上の利用可能性】
【００５４】
本発明は、鉄道やバスなどの公共交通機関および駐車場を伴うサービス業全般において利用可能性がある。また、駐車場を伴うサービス業全般において利用可能性がある。更に、駐車場の管理業、駐車場の付帯設備の製造業、駐車場の付帯設備に関するコンピュータソフトウェアを作成するソフトウェア産業においても、利用可能性がある。
【符号の説明】
【００５５】
１０  駐車料金精算機              １１  券挿入口
１２  現金投入口                  １３  ＩＣカードタッチ部
１４  紙幣投入口
２０  表示パネル                  ２１  駐車精算手順表示部
２２  駐車券挿入指示表示部        ２３  サービス券挿入指示表示部
２４  精算指示表示部
２５  併用精算手順表示部          ２６  駐車券挿入指示表示部
２７  開始ボタン指示表示部        ２８  ＩＣカードタッチ指示表示部
２９  サービス券挿入指示表示部    ３０  精算指示表示部
３１  開始ボタン                  ３２  中止ボタン
３３  ＩＣカード通信手段
４０  詳細説明部
【図１】
0005473115.tif 000002
【図２】
0005473115.tif 000003
【図３】
0005473115.tif 000004
【図４】
0005473115.tif 000005
【図５】
0005473115.tif 000006
【図６】
0005473115.tif 000007